(57)【要約】【課題】  簡単に適切なレンダリング情報を検索できる画像表示装置及びレンダリング情報検索方法を提供する。【解決手段】  画像診断装置により得られた三次元画像データと、その三次元画像データの付帯情報である複数の撮影条件項目及びその撮影条件項目毎に設定された撮影条件とを記憶する画像情報記憶部５と、前記撮影条件項目とその撮影条件に対応して前記三次元画像データをレンダリング法によりレンダリング画像に生成するためのレンダリング情報を記憶するレンダリング情報記憶部４とを設け、画像処理部６は前記レンダリング情報記憶部４に記憶されているレンダリング情報を検索し、検索された前記レンダリング情報に基づいて前記三次元画像データのレンダリング画像を生成し、表示部７にレンダリング画像を表示する。【選択図】  図１
2005296172.tif 000002
【特許請求の範囲】
【請求項１】
画像診断装置により得られた三次元画像データと、その三次元画像データの付帯情報で
ある複数の撮影条件項目及びその撮影条件項目毎に設定された撮影条件とを記憶する画像
記憶手段と、
前記撮影条件項目とその撮影条件に対応して前記三次元画像データをレンダリング法によ
りレンダリング画像に生成するためのレンダリング情報を記憶するレンダリング情報記憶
手段と、
前記レンダリング情報記憶手段に記憶されているレンダリング情報を検索し、検索された
前記レンダリング情報に基づいて前記三次元画像データのレンダリング画像を生成する画
像処理手段と、
前記画像処理手段によって生成されたレンダリング画像を表示する表示手段とを
有することを特徴とする画像表示装置。
【請求項２】
前記三次元画像データのレンダリング画像に生成する際に、優先度の高い前記撮影条件
項目から順に前記レンダリング情報の絞込み検索を行うことを特徴とする請求項１に記載
の画像表示装置。
【請求項３】
前記画像処理手段は、前記レンダリング情報毎に設定される使用回数に基づいて前記レ
ンダリング情報を検索することを特徴とする請求項１に記載の画像表示装置。
【請求項４】
前記画像処理手段は、前記レンダリング情報毎に設定される最新時刻に基づいて前記レ
ンダリング情報を検索することを特徴とする請求項１に記載の画像表示装置。
【請求項５】
前記画像処理手段は、前記レンダリング情報に設定された透明度及び色或いは透明度及
び色の合成に基づいてボリュームレンダリング法によりボリュームレンダリング画像に生
成することを特徴とする請求項１乃至請求項４のいずれか1項に記載の画像表示装置。
【請求項６】
画像診断装置により得られた三次元画像データと、その三次元画像データの付帯情報で
ある複数の撮影条件項目及びその撮影条件項目毎に設定された撮影条件とを記憶する画像
記憶手段と、
前記撮影条件項目とその撮影条件に対応して前記三次元画像データをレンダリング法によ
りレンダリング画像に生成するためのレンダリング情報を記憶するレンダリング情報記憶
手段とを有する画像表示装置のレンダリング情報検索方法であって、
前記レンダリング情報記憶手段に記憶されているレンダリング情報を優先度の高い前記撮
影条件項目から順に絞込み検索を行い、
検索された前記レンダリング情報に基づいて前記三次元画像データのレンダリング画像を
生成して表示する
ことを特徴とするレンダリング情報検索方法。
【請求項７】
画像診断装置により得られた三次元画像データと、その三次元画像データの付帯情報で
ある複数の撮影条件項目及びその撮影条件項目毎に設定された撮影条件とを記憶する画像
記憶手段と、
前記撮影条件項目とその撮影条件に対応して前記三次元画像データをレンダリング法によ
りレンダリング画像に生成するためのレンダリング情報を記憶するレンダリング情報記憶
手段とを有する画像表示装置のレンダリング情報検索方法であって、
前記レンダリング情報記憶手段に記憶されているレンダリング情報の使用回数及び最新時
刻に基づいて絞込み検索を行い、
検索された前記レンダリング情報に基づいて前記三次元画像データのレンダリング画像を
生成して表示する
ことを特徴とするレンダリング情報検索方法。
【発明の詳細な説明】
【技術分野】
【０００１】
本発明は、三次元で表示する画像表示装置及びレンダリング情報検索方法に関する。
【背景技術】
【０００２】
画像診断装置から得られた三次元の画像データをレンダリング法によりレンダリング画
像に生成し、表示する画像表示装置がある。また、三次元の画像データをレンダリング画
像に生成するため、ボリュームレンダリング法を用いてレンダリング情報を生成する場合
は、例えば、Ｘ線ＣＴ装置によって撮影された画像データが三次元画像に再構成され、そ
の三次元画像データに透明度及び色、或いはそれらを組み合わせる合成等が行われる。
【０００３】
そして、透明度及び色のレンダリング情報の設定は、ＣＴ値を同じ色を与える範囲で区
切り、その範囲に対して透明度の強弱の勾配をつけることによって行われる（例えば、特
許文献１参照。）。
【０００４】
ところで、ボリュームレンダリング法による画像表示では、登録されたレンダリング情
報に基づいたボリュームレンダリング画像が表示される。そして、画像表示装置にはボリ
ュームレンダリング画像に対して任意のコメント（例えば、画像データの撮影部位等の情
報）を設定表示可能とするためのプリセットボタンが様々なレンダリング情報に対応でき
るように１００種類以上用意されており、それらのプリセットボタンを用いてレンダリン
グ情報の設定或いは変更が任意にできるようになっている。
【０００５】
そして、Ｘ線ＣＴ装置からの画像データを選択した後、ボリュームレンダリング法によ
って表示したいレンダリング情報に対しボリュームレンダリング画像及び任意のコメント
に基づいてプリセットボタンを選択し、そのプリセットボタンをクリックすると、プリセ
ットボタンに登録されている透明度及び色等のレンダリング情報に基づいて、ボリューム
レンダリング法による表示をしたい画像データがボリュームレンダリング表示される。
【０００６】
更に、表示されたボリュームレンダリング画像に対してこれを調整したい場合には、Ｏ
ｐａｃｉｔｙウインドウの画面を表示し、画面上のスライダー操作や数値による入力、透
明度曲線の選択や変形を行う。
【特許文献１】特開２００３−９１７３５号公報
【発明の開示】
【発明が解決しようとする課題】
【０００７】
前記のレンダリング情報の設定により、レンダリング法によるレンダリング画像で観察
したい部分がよく見える或いはきれいに且つなめらかに表示される等の質が決まるが、撮
影条件、観察したい大きな血管、末梢血管、肺、腸、肝臓、腎臓などの臓器、骨などの器
官、更には好み等によりレンダリング情報は異なる。操作に不慣れな者にとっては適切な
レンダリング画像を得るのは難しく、熟練者にとっても撮影した画像データを表示目的に
応じた適切なレンダリング情報として設定を行うことは手間がかかる。
【０００８】
それゆえ、予めレンダリング情報が設定された参考例としての多くのプリセットボタン
が用意されているが、操作者にとっては、数多くあるプリセットボタンの中から適切なレ
ンダリング情報が登録されているプリセットボタンを選択するのは容易でない。
【０００９】
本発明は、上記問題点を解決するためになされたもので、簡単に適切なレンダリング情
報を検索できる画像表示装置及びレンダリング情報検索方法を提供することを目的とする
。
【課題を解決するための手段】
【００１０】
上記目的を達成するために、請求項１に係る本発明の画像表示装置は、画像診断装置に
より得られた三次元画像データと、その三次元画像データの付帯情報である複数の撮影条
件項目及びその撮影条件項目毎に設定された撮影条件とを記憶する画像記憶手段と、前記
撮影条件項目とその撮影条件に対応して、前記三次元画像データをレンダリング法により
レンダリング画像に生成するためのレンダリング情報を記憶するレンダリング情報記憶手
段と、前記レンダリング情報記憶手段に記憶されているレンダリング情報を検索し、検索
された前記レンダリング情報に基づいて前記三次元画像データのレンダリング画像を生成
する画像処理手段と、前記画像処理手段によって生成されたレンダリング画像を表示する
表示手段とを有することを特徴とする。
【００１１】
そして、請求項６に係る本発明のレンダリング情報検索方法は、画像診断装置により得
られた三次元画像データと、その三次元画像データの付帯情報である複数の撮影条件項目
及びその撮影条件項目毎に設定された撮影条件とを記憶する画像記憶手段と、前記撮影条
件項目とその撮影条件に対応して前記三次元画像データをレンダリング法によりレンダリ
ング画像に生成するためのレンダリング情報を記憶するレンダリング情報記憶手段とを有
する画像表示装置のレンダリング情報検索方法であって、前記レンダリング情報記憶手段
に記憶されているレンダリング情報を優先度の高い前記撮影条件項目から順に絞込み検索
を行い、検索された前記レンダリング情報に基づいて前記三次元画像データのレンダリン
グ画像を生成して表示することを特徴とする。
【発明の効果】
【００１２】
本発明によれば、画像診断装置により得られた三次元の画像データをレンダリング法に
より画像データを生成し表示する際に、適切なレンダリング画像になるようにレンダリン
グ情報を設定すると共にそのときの撮影条件をプリセットボタンに対応してレンダリング
情報記憶部に登録しておくことにより、その後のレンダリング画像を表示するに際し、画
像診断装置により撮影された撮影条件に基づいて、適切なレンダリング画像のレンダリン
グ情報が登録されたプリセットボタンの中から簡単に検索することができる。
【００１３】
また、撮影条件が限られており多くのレンダリング情報を必要としない場合には、使用
回数の一番多いレンダリング情報が登録されたプリセットボタン或いは最近使用したレン
ダリング情報が登録されたプリセットボタンを撮影部位毎に検索することができる。
【発明を実施するための最良の形態】
【００１４】
本発明の実施形態を説明する。
【実施例】
【００１５】
以下に、本発明の画像表示装置の実施形態を図１乃至図７を参照して説明する。なお、
本発明は、Ｘ線ＣＴ装置、磁気共鳴画像診断装置（ＭＲＩ装置）、Ｘ線診断装置、超音波
診断装置等の画像診断装置よって得られた三次元画像データを、ボリュームレンダリング
法、サーフェスレンダリング法、最大値投影法、最小値投影法等の種々のレンダリング法
の１つを用いて生成したレンダリング画像を表示する画像表示装置に適用可能であるが、
ここではＸ線ＣＴ装置により得られた三次元画像データをボリュームレンダリング法によ
って生成したレンダリング画像を画像表示装置に表示する場合について説明する。
【００１６】
図１は、実施形態の画像表示装置の構成を示すブロック図である。この画像表示装置１
は、中央制御部（ＣＰＵ）２と、画像表示装置１の様々な制御を行うプログラムが記憶さ
れているプログラム記憶部３と、レンダリング画像を表示する際に必要な様々な条件が記
憶されているレンダリング情報記憶部４と、三次元画像データを記憶する画像情報記憶部
５と、画像情報記憶部５に記憶されている三次元画像データを読み出してレンダリング画
像を生成する画像処理部６と、画像処理部６で生成されたレンダリング画像を表示する表
示部７と、画像表示装置１のオペレーションを行う操作部８と、Ｘ線ＣＴ装置１１や画像
情報収集装置１２などの外部と接続するためのインターフェース９と、上記各構成要素の
信号転送を行う信号バス１０等から構成される。なお、ＣＰＵ２と画像処理部６は１つの
プロセッサで構成してもよい。
【００１７】
プログラム記憶部３には、レンダリング法によるレンダリング画像を生成のための演算
プログラム、オペレーションプログラムなど様々な制御プログラムが記憶されている。Ｃ
ＰＵ２は、プログラム記憶部３のプログラムに基づいて画像表示装置１の各構成要素を統
括的に制御する。
【００１８】
レンダリング情報記憶部４には、例えば図３に示したプリセットボタン３３毎にレンダ
リング法における所定の範囲のＣＴ値に対して設定された透明度及び色、或いは所定の範
囲のＣＴ値に対して設定された透明度及び色のレンダリング情報が記憶されている。そし
て、画像情報記憶部５に記憶されている画像データを読み出した際に、所望のプリセット
ボタン３３を選択することによって、当該プリセットボタン３３に設定登録されているレ
ンダリング情報に基づいてレンダリング画像が生成される。
【００１９】
また、プリセットボタン３３毎に、レンダリング情報の使用された回数がレンダリング
情報使用回数として累計され、透明度及び色等の情報と共にレンダリング情報記憶部４に
記憶される。
【００２０】
更に、プリセットボタン３３毎に、レンダリング情報が使用された最新の時刻も、透明
度及び色等の情報と共にレンダリング情報記憶部４に記憶される。
【００２１】
画像情報記憶部５には、Ｘ線ＣＴ装置１１或いは画像情報収集装置１２等の外部装置か
らインターフェース９を経由して送られてきた画像データと、その画像データに付帯する
患者ＩＤ、患者名、撮影時刻、画像診断装置で撮影された撮影条件、及び撮影条件の項目
等が記憶されている。
【００２２】
例えば、Ｘ線ＣＴ装置１１で撮影された撮影条件の項目には、撮影部位、造影剤種類、
造影剤投与量、造影剤濃度、スキャン速度、撮影スライス厚、画像再構成関数、フィルタ
名、画像スライス厚、管電流、管電圧、被爆低減フィルタ、ＦＯＶ、体重、性別、年齢、
生年月日等があり、これらの撮影条件の項目は画像診断装置により異なる。
【００２３】
画像処理部６は、プログラム記憶部３に記憶されているレンダリング法の画像生成演算
プログラムに基づいて、レンダリング情報記憶部４から読み出したレンダリング情報から
レンダリング画像を生成する。
【００２４】
表示部７は、画像処理部６でレンダリング法により生成されたレンダリング画像を受信
してＣＲＴ等の表示画面に表示する。また、画像情報記憶部５に記憶されている三次元画
像データのリストや、レンダリング画像の生成及び表示に必要な諸条件の設定画面や、そ
の他画像表示装置１全体の操作を行うために必要な様々な表示画面の表示も行う。
【００２５】
操作部８は、キーボード、マウスコントローラ、マウス等で構成されており、画像情報
記憶部５の三次元画像データのリストの中からレンダリング画像を表示するための三次元
画像データの選択時、レンダリング画像生成及び表示に必要な諸条件の設定時、その他画
像表示装置１全体の操作を行うために必要な条件の入力時に入力操作が行われる。
【００２６】
インターフェース９は、Ｘ線ＣＴ装置１１、あるいは磁気ディスクや光ディスク等の記
憶媒体を利用した画像情報収集装置１２、その他に図示しないＭＲＩ装置、超音波診断装
置、Ｘ線診断装置等の画像診断装置と接続するために設けられ、これら外部装置から送信
された三次元画像データを受信して画像情報記憶部５に取り込む。
【００２７】
図２は、表示部７に表示される撮影画像選択画面２１の一例を示した図である。この画
面２１には、例えばＸ線ＣＴ装置１１から得られた三次元画像データの画像データリスト
として、その画像データを撮影した検査日、患者のＩＤ、患者の氏名、性別等の画像デー
タ付帯情報が表示されている状態を示す。
【００２８】
この画像データリストの中から所望の画像データ２１ａが選択されると、画像データ２
１ａが画像情報記憶部５から読み出され三次元画像が作成された後、画面に表示される。
【００２９】
図３は、表示部７に表示したＯｐａｃｉｔｙウインドウ３１の一例を示した図である。
Ｏｐａｃｉｔｙウインドウ３１は、各種のプリセットボタン３３を表示するプリセットボ
タン表示エリア３２と、各種のプリセットボタン３３に登録されている透明度及び色等の
レンダリング情報が表示されるオブジェクト表示エリア３４からなる。
【００３０】
この例では、プリセットボタン表示エリア３２に２４個のプリセットボタン３３を３行
×８桁の表示配列で表示している。
【００３１】
プリセットボタン３３は、撮影部位等の設定が可能なプリセットボタン識別表示エリア
３３ａと、撮影部位の画像データが表示される画像表示エリア３３ｂから構成されている
。そして、夫々のプリセットボタン３３に対応して、レンダリング画像の表示を行う際の
透明度及び色等のレンダリング情報と、図５に示したプリセットボタン撮影条件設定画面
５１の情報がレンダリング情報記憶部４に記憶されている。
【００３２】
図４は、操作部８より表示部７に表示した検索用撮影条件設定画面４１の一例を示した
図である。この検索用撮影条件設定画面４１は「優先度」と「撮影条件項目」によって構
成され、「撮影条件項目」の欄には撮影条件の項目、「優先度」の欄には優先番号を設定
して検索をかける。この画面４１に設定された「撮影条件項目」と「優先度」の情報は、
ＣＰＵ２によりレンダリング情報記憶部４に記憶される。
【００３３】
「撮影条件項目」の欄には、Ｘ線ＣＴ装置１１とほぼ同数の撮影条件の項目を設定でき
るようになっている。そして、例えばＸ線ＣＴ装置１１の画像データを扱う場合には、撮
影部位、造影剤使用の有無、造影剤を使用した場合には造影剤投与量及び造影剤濃度、ス
キャン速度、撮影スライス厚、再構成関数、フィルタを使用した場合にはフィルタ名、画
像スライス厚、管電流、管電圧、被爆低減フィルタのＯＮ／ＯＦＦ、被検体の撮影部位の
サイズ（ＦＯＶ）、体重、性別、年齢、生年月日が設定される。
【００３４】
図４の検索用撮影条件設定画面４１ではその内、「撮影部位」、「造影剤の有無」、「
造影剤投与量」、「造影剤濃度」、「再構成関数」、「撮影スライス厚」が設定されてい
る状態を示す。そして、「優先度」の欄には、「撮影条件項目」の項目に応じた優先番号
が設定される。
【００３５】
ここでは、例えば「撮影部位」には優先度０が、「造影剤の有無」には優先度１が、「
造影剤投与量」には優先度２が、「造影剤濃度」には優先度３が、「再構成関数」には優
先度４が、「撮影スライス厚」には優先度５が設定されている。そして、優先度０が最も
高く、撮影条件に付与される。この優先度は０、１、２、３の順に最大１６まで設定でき
るようになっている。
【００３６】
図５は、図３に示したプリセットボタン３３毎に設定される撮影条件の撮影条件設定画
面５１の一例を示した図である。図４の検索用撮影条件設定画面４１で設定された「撮影
条件項目」及び「優先度」は、プリセットボタン３３毎にプリセットボタン撮影条件設定
画面５１に表示され、それに対応して「撮影条件設定」の欄に撮影条件が設定できるよう
になっている。
【００３７】
また、図２に示した撮影画像選択画面２１の画像データリストの中から画像データを選
択した後、任意のプリセットボタン３３を選択することにより、選択した画像データに付
帯する撮影条件の中からプリセットボタン撮影条件設定画面５１に表示されている撮影条
件の項目に設定されている撮影条件の情報だけを引出して、図５の「撮影条件設定」欄に
設定できるようになっている。設定された撮影条件はＣＰＵ２によりプリセットボタン３
３毎にレンダリング情報記憶部４に記憶される。
【００３８】
図５では、例えば「撮影部位」はＨｅａｄ、「造影剤の有無」は無、「造影剤投与量」
は０ｍＬ、「造影剤濃度」は０％、「再構成関数」はＦＣ１０、「撮影スライス厚」は２
ｍｍとした撮影条件と、その撮影条件で撮影された画像データをボリュームレンダリング
法による透明度及び色等の表示が適切な条件になるよう設定したレンダリング情報を、こ
のプリセットボタン３３に登録する。
【００３９】
図６は、画像表示装置１によるプリセットボタン３３毎に検索用撮影条件とボリューム
レンダリング法による透明度及び色等のレンダリング情報を設定するフローチャートを示
している。以下、図１乃至図６を参照しながら、実施形態の動作を説明する。
【００４０】
まず、ＣＰＵ２は操作部８からの入力に基づいて、図４に示した検索用撮影条件設定画
面４１を表示部７に表示する。操作者は、検索用撮影条件設定画面４１の「撮影条件項目
」の欄にボリュームレンダリング法による透明度及び色等のレンダリング情報のファクタ
ーである撮影条件の項目を設定し（ステップＳ１）、「優先度」の欄には撮影条件の項目
毎に優先度を設定する（ステップＳ２）。
【００４１】
次に、ＣＰＵ２は操作部８からの入力に基づいて画像情報記憶部５から読み出した画像
データから図２に示した撮影画像選択画面２１を作成して表示部７に表示する。操作者は
、撮影画像選択画面２１の画像データリストの中からボリュームレンダリング法で表示す
る画像データを選択する（ステップＳ３）。
【００４２】
そして、ＣＰＵ２は操作部８からの入力に基づいて、図３に示したＯｐａｃｉｔｙウイ
ンドウ３１を表示部７に表示する。操作者は、Ｏｐａｃｉｔｙウインドウ３１のプリセッ
トボタン３３の中から任意のプリセットボタン３３を選択し（ステップＳ４）、透明度及
び色等のレンダリング情報の調整を行う（ステップＳ５）。ＣＰＵ２は、その設定された
撮影条件のレンダリング情報をレンダリング情報記憶部４に記憶する（ステップＳ６）。
【００４３】
次に、ＣＰＵ２は操作部８からの入力に基づいて、図６に示したプリセットボタン撮影
条件設定画面５１を表示部７に表示する。このプリセットボタン撮影条件設定画面５１に
は、ステップＳ１で選択した画像データに付帯する撮影条件の内、図４の検索用撮影条件
設定画面４１で設定された「撮影条件項目」の撮影条件の情報のみがこの画面の「撮影条
件設定」欄に取り込まれて表示される。
【００４４】
操作者は、プリセットボタン撮影条件設定画面５１に表示される確認ボタン（図示せず
）を操作部８から押すことにより（ステップＳ７）、ステップＳ６で登録された透明度及
び色等のレンダリング情報と、ステップＳ７で確認した撮影条件とが登録される（ステッ
プＳ８）。そして、ＣＰＵ２は前記任意のプリセットボタン３３に対応させて前記撮影条
件及び前記レンダリング情報をレンダリング情報記憶部４に記憶する。
【００４５】
なお、Ｘ線ＣＴ装置１１への撮影条件の設定が不足していた場合には、プリセットボタ
ン撮影条件設定画面５１で不足していた撮影条件を追加後、確認ボタンを押すことにより
追加登録できる。
【００４６】
図７は、図２に示した撮影画像選択画面２１の中から選択した画像データに、自動的に
ボリュームレンダリング法によるレンダリング情報を与えてボリュームレンダリング画像
を表示する手順を示したフローチャートである。
【００４７】
その手順は、図６に示したフローチャートに従って図５のプリセットボタン撮影条件設
定画面５１に登録された「優先番号」、「撮影条件項目」及び「撮影条件設定」の中から
、優先度の高い撮影条件の項目から順に前記選択した画像データの撮影条件に一番近いプ
リセットボタン３３を検索し、そのプリセットボタン３３に登録されているレンダリング
情報に基づいてボリュームレンダリング画像を表示するものである。
【００４８】
以下では、図４の検索用撮影条件設定画面４１に設定した「撮影条件項目」及び「優先
度」を例にして説明する。
【００４９】
最初に、ＣＰＵ２は操作部８からの入力に基づいて、図２に示した撮影画像選択画面２
１を表示部７に表示し、操作者は操作部８の操作によりその画像データリストから、所望
の画像データ２１ａを選択し、自動検索ボタン２２をクリックする。この操作により、画
像処理部６は画像データ２１ａに付帯する撮影条件と図５に表示される「撮影条件項目」
と「優先度」に基づいて、プリセットボタン３３に対応してレンダリング情報記憶部４に
登録されている撮影条件の検索を開始する（ステップＳ１１）。
【００５０】
まず、レンダリング情報記憶部４から一番高い優先度０の撮影部位について、画像デー
タ２１ａの撮影条件と一致する撮影部位のプリセットボタン３３があるか否かを調べる（
ステップＳ１２）。そして、画像データ２１ａに撮影部位が登録されていない場合或いは
撮影部位が一致するプリセットボタン３３がない場合（ステップＳ１２のいいえ）、ＣＰ
Ｕ２は画像処理部６の検索結果に基づき、選択された画像データ２１ａと同じ撮影部位が
登録されたプリセットボタン３３がないことを、例えば図８の「同じ撮影部位のＰＢが登
録されていません」のメッセージ６２を設けたＯｐａｃｉｔｙウインドウ３１０を表示部
７に表示して（ステップＳ１４）、検索作業を終了する（ステップＳ２８）。
【００５１】
一方、撮影部位が一致するプリセットボタン３３があれば（ステップＳ１２のはい）、
撮影部位が一致するプリセットボタン３３の中から、画像データ２１ａの撮影条件と一致
する造影剤の有無が登録されているプリセットボタン３３があるか否かを調べる（ステッ
プＳ１３）。
【００５２】
画像データ２１ａの撮影条件に造影剤の有無の登録がない場合或いは造影剤の有無が一
致するプリセットボタン３３がない場合、ＣＰＵ２は画像処理部６の検索結果に基づき、
例えば図９の「同じ造影剤条件のＰＢが登録されていないので使用回数の多いＰＢと最近
使用したＰＢを表示します」のメッセージ７２を設けたＯｐａｃｉｔｙウインドウ３１１
を表示部７に表示して（ステップＳ１６）、検索作業を終了する（ステップＳ２８）。
【００５３】
また、ＣＰＵ２は画像処理部６の検索結果に基づき、レンダリング情報記憶部４に記憶
されているレンダリング情報使用回数の多い順に、Ｏｐａｃｉｔｙウインドウ３１１のプ
リセットボタン表示エリア３２の最上段に、左から順に最大８個までプリセットボタン３
３を表示して（ステップＳ１６）、検索作業を終了する（ステップＳ２８）。
【００５４】
更に、ＣＰＵ２は画像処理部６の検索結果に基づき、画像データ２１ａと同じ撮影部位
で、レンダリング情報記憶部４に記憶されている最新の時刻順に、Ｏｐａｃｉｔｙウイン
ドウ３１１のプリセットボタン表示エリア３２の上から２段目に、左から順に最大８個ま
でプリセットボタン３３を表示し（ステップＳ１６）、検索作業を終了する（ステップＳ
２８）。
【００５５】
ところで、ステップＳ１６でレンダリング情報使用回数の多い順及び最新の時刻を表示
したプリセットボタン３３は、図２に示した撮影画像選択画面２１の使用頻度・最新検索
ボタン２３を選択することによっても表示できる。
【００５６】
次に、画像データ２１ａの撮影条件と一致する造影剤の有無が登録されているプリセッ
トボタン３３がある場合は造影剤使用の有無を調べ（ステップＳ１５）、画像データ２１
ａの撮影条件に造影剤の使用が有る場合には、造影剤の使用が有ったプリセットボタン３
３の中で、画像データ２１ａの撮影条件に登録されている造影剤投与量に一番近いプリセ
ットボタン３３の内、同じ投与量が設定されているプリセットボタン３３が１個か否かを
調べる（ステップＳ１７）。
【００５７】
そして、プリセットボタン３３が１個の場合、画像処理部６はそのプリセットボタン３
３に対応してレンダリング情報記憶部４に登録されているレンダリング情報に基づいて、
例えば図１０の画面８１に画像データ２１ａのボリュームレンダリング画像８２を表示部
７に表示し（ステップＳ１９）、検索作業を終了する（ステップＳ２８）。
【００５８】
次に、ステップＳ１７でプリセットボタン３３が複数ある場合（且つ、画像データ２１
ａの撮影条件に造影剤濃度が登録されている場合）、画像データ２１ａの撮影条件に登録
されている投影剤濃度に一番近いプリセットボタン３３の内、同じ造影剤濃度が設定され
ているプリセットボタン３３が１個か否かを調べる（ステップＳ１８）。そして、１個の
場合、画像処理部６はそのプリセットボタン３３に対応してレンダリング情報記憶部４に
登録されているレンダリング情報に基づいて図１０と同様に画像データ２１ａのボリュー
ムレンダリング画像８２を表示部７に表示し（ステップＳ２１）、検索作業を終了する（
ステップＳ２８）。
【００５９】
次に、ステップＳ１８でプリセットボタン３３が複数ある場合（且つ、画像データ２１
ａの撮影条件に再構成関数が登録されている場合）、画像データ２１ａと同じ再構成関数
が登録されているプリセットボタン３３が１個か否かを調べる（ステップＳ２０）。そし
て、１個の場合、画像処理部７はそのプリセットボタン３３に対応してレンダリング情報
記憶部４に登録されているレンダリング情報に基づいて図１０と同様に画像データ２１ａ
のボリュームレンダリング画像８２を表示部７に表示し（ステップＳ２３）、検索作業を
終了する（ステップＳ２８）。
【００６０】
次に、ステップＳ２０でプリセットボタン３３が複数ある場合（且つ、画像データ２１
ａの撮影条件に撮影スライス厚が登録されている場合）、画像データ２１ａに一番近い撮
影スライス厚のプリセットボタン３３の内、同じ撮影スライス厚が登録されているプリセ
ットボタン３３が１個か否かを調べる（ステップＳ２２）。そして、１個の場合、画像処
理部６はそのプリセットボタン３３に対応してレンダリング情報記憶部４に登録されてい
るレンダリング情報に基づいて図１０と同様に画像データ２１ａのボリュームレンダリン
グ画像８２を表示部７に表示して（ステップＳ２５）、検索作業を終了する（ステップＳ
２８）。
【００６１】
次に、ステップＳ２２でプリセットボタン３３が複数ある場合、そのプリセットボタン
３３が５個以上か否かを調べる（ステップＳ２４）。そして、４個以下の場合、画像処理
部６は夫々のプリセットボタン３３に対応してレンダリング情報記憶部４に登録されてい
るレンダリング情報に基づいて図１０と同様に画像データ２１ａのボリュームレンダリン
グ画像８２を表示部７に表示して（ステップＳ２６）、検索作業を終了する（ステップＳ
２８）。
【００６２】
次に、ステップＳ２４でプリセットボタン３３が５個以上の場合、ＣＰＵ２はそれらの
プリセットボタン３３を、例えば図１１のプリセットボタン表示エリア３２に８個のプリ
セットボタン３３を配置したＯｐａｃｉｔｙウインドウ３１２を表示部７に表示した後（
ステップＳ２７）、検索作業を終了する（ステップＳ２８）。
【００６３】
ところで、ステップＳ２７に表示されたプリセットボタン３３の中から、最大４つのプ
リセットボタン３３を選択すれば、夫々のプリセットボタン３３に設定されているレンダ
リング情報に基づいて、１つの画面に同時にボリュームレンダリング画像が表示される。
【００６４】
なお、図７では図示していないが、ステップＳ１５で、画像データ２１ａの撮影条件に
造影剤の投与量が登録されていない場合には、ステップＳ１５からステップＳ１７をスキ
ップしてステップＳ１８を実行する。
【００６５】
また、ステップＳ１７で、画像データ２１ａの撮影条件に造影剤濃度が登録されていな
い場合には、ステップＳ１７からステップＳ１８をスキップしてステップＳ２０を実行す
る。
【００６６】
また、ステップＳ１８で、画像データ２１ａに再構成関数が設定されていない場合には
、ステップＳ１８からステップＳ２０をスキップしてステップＳ２２を実行する。
【００６７】
また、ステップＳ２０で、画像データ２１ａに撮影スライス厚が設定されていない場合
には、ステップＳ２０からステップＳ２２をスキップしてステップＳ２４を実行する。
【００６８】
以上のように、Ｘ線ＣＴ装置、磁気共鳴画像診断装置（ＭＲＩ装置）、Ｘ線診断装置、
超音波診断装置等の画像診断装置から得られた三次元画像データをレンダリング画像に生
成及び表示する場合に、レンダリング情報毎にレンダリング画像生成のファクターとなる
所定の撮影条件の項目、その項目毎に優先度及び撮影条件等の適切なレンダリング情報を
プリセットボタンに対応してレンダリング情報記憶部４に登録しておくことにより、以後
の三次元画像データをレンダリング画像で表示する際に、自動検索ボタンをクリックする
だけで、簡単にプリセットボタン３３の中から適したレンダリング情報を自動的に検索す
ることができる。
【００６９】
また、撮影条件が限られており多くのレンダリング情報を必要としない場合には、使用
頻度・最新検索ボタンをクリックするだけで、簡単に使用回数の一番多いレンダリング情
報が登録されたプリセットボタン及び最近使用したレンダリング情報が登録されたプリセ
ットボタンを撮影部位毎に検索することができる。
【００７０】
本発明は、上記実施例に限定されるものではなく、例えば、図４の検索用撮影条件設定
画面４１に設定した撮影条件の項目及びその項目の優先度を追加することにより、より適
切なレンダリング情報を検索することができる。
【図面の簡単な説明】
【００７１】
【図１】本発明の実施形態に係る画像表示装置の構成を示すブロック図。
【図２】本発明の実施形態に係る撮影画像選択画面の一例を示す図。
【図３】本発明の実施形態に係るＯｐａｃｉｔｙウインドウの一例を示す図。
【図４】本発明の実施形態に係る検索用撮影条件設定画面の一例を示す図。
【図５】本発明の実施形態に係るプリセットボタン撮影条件設定画面の一例を示す図。
【図６】本発明の実施形態に係るプリセットボタンに検索用撮影条件とレンダリング情報を設定する手順を示すフローチャート。
【図７】本発明の実施形態に係る画像表示装置の三次元画像表示までの手順を示すフローチャート。
【図８】本発明の実施形態に係るメッセージを設けたＯｐａｃｉｔｙウインドウの一例を示す図。
【図９】本発明の実施形態に係るメッセージを設けたＯｐａｃｉｔｙウインドウの一例を示す図。
【図１０】本発明の実施形態に係るボリュームレンダリング画像の一例を示す図。
【図１１】本発明の実施形態に係るＯｐａｃｉｔｙウインドウの一例を示す図。
【符号の説明】
【００７２】
１  画像表示装置
２  ＣＰＵ
３  プログラム記憶部
４  レンダリング情報記憶部
５  画像情報記憶部
６  画像処理部
７  表示部
８  操作部
９  インターフェース
２１  撮影画像選択画面
２１ａ  画像データ
２２  自動検索ボタン
２３  使用頻度・最新検索ボタン
３１  Ｏｐａｃｉｔｙウインドウ
３２  プリセットボタン表示エリア
３３  プリセットボタン
４１  検索用撮影条件設定画面
５１  プリセットボタン撮影条件設定画面
【図１】
2005296172.tif 000003
【図２】
2005296172.tif 000004
【図３】
2005296172.tif 000005
【図４】
2005296172.tif 000006
【図５】
2005296172.tif 000007
【図６】
2005296172.tif 000008
【図７】
2005296172.tif 000009
【図８】
2005296172.tif 000010
【図９】
2005296172.tif 000011
【図１０】
2005296172.tif 000012
【図１１】
2005296172.tif 000013